(57)【要約】【課題】ＢＣＡに迅速に、かつ、正確にアクセスすることができるようにする。【解決手段】本発明に係る光ディスク装置においては、ステップＳ１乃至Ｓ８において、ＣＰＵは、光ピックアップを制御して、多層式のディスクを構成する第１層目ディスク上におけるビームスポットの位置のアドレスを読み出し、読み出されたアドレスに基づいて、多層式のディスク上に設けられたＢＣＡにアクセスするためのシーク量を算出し、光ピックアップを制御して、算出されたシーク量に基づいてビームスポットの半径位置を移動し、光ピックアップ、フォーカス制御回路、およびトラッキング制御回路などを制御して、ビームスポットの位置を他の層のディスクに移動する。【選択図】  図３
2008135111.tif 000002
【特許請求の範囲】
【請求項１】
ビームスポットの位置のアドレスを読み出す読み出し手段と、
前記読み出し手段により読み出された前記アドレスに基づいて、ディスク上に設けられたＢＣＡにアクセスするためのシーク量を算出する算出手段と、
前記算出手段により算出された前記シーク量に基づいて、ビームスポットの半径位置を移動する移動手段とを備えることを特徴とする光ディスク装置。
【請求項２】
多層式のディスクを構成する第１層目ディスク上におけるビームスポットの位置のアドレスを読み出す読み出し手段と、
前記読み出し手段により読み出された前記アドレスに基づいて、前記多層式のディスク上に設けられたＢＣＡにアクセスするためのシーク量を算出する算出手段と、
前記算出手段により算出された前記シーク量に基づいて、ビームスポットの半径位置を移動する第１の移動手段と、
ビームスポットの位置を他の層のディスクに移動する第２の移動手段とを特徴とする光ディスク装置。
【請求項３】
前記第２の移動手段は、前記第１の移動手段により、前記算出手段により算出された前記シーク量に基づいてビームスポットの半径位置が移動された後、ビームスポットの位置を他の層のディスクに移動することを特徴とする請求項２に記載の光ディスク装置。
【請求項４】
前記第１の移動手段は、前記第２の移動手段によりビームスポットの位置が他の層のディスクに移動された後、前記算出手段により算出された前記シーク量に基づいて、ビームスポットの半径位置を移動することを特徴とする請求項２に記載の光ディスク装置。
【請求項５】
前記算出手段は、前記読み出し手段により読み出された前記アドレスに基づいて、前記多層式のディスク上に設けられたＢＣＡの中心位置にアクセスするためのシーク量を算出することを特徴とする請求項２に記載の光ディスク装置。
【請求項６】
多層式のディスクを構成する第１層目ディスク上におけるビームスポットの位置のアドレスを読み出す読み出しステップと、
前記読み出しステップの処理により読み出された前記アドレスに基づいて、前記多層式のディスク上に設けられたＢＣＡにアクセスするためのシーク量を算出する算出ステップと、
前記算出ステップの処理により算出された前記シーク量に基づいて、ビームスポットの半径位置を移動する第１の移動ステップと、
ビームスポットの位置を他の層のディスクに移動する第２の移動ステップとを含むことを特徴とする光ディスク装置の光ディスク再生方法。
【発明の詳細な説明】
【技術分野】
【０００１】
本発明は光ディスク装置および光ディスク再生方法に係り、特に、ＢＣＡにアクセスすることができるようにした光ディスク装置および光ディスク再生方法に関する。
【背景技術】
【０００２】
近年、ＤＶＤ（Digital Versatile Disk）−ＲＯＭやＤＶＤ−ＲＷなどの種々のＤＶＤ規格においては、不正な複製を防止するために、例えばＣＰＰＭ（Content Protection for Prerecorded Media）やＣＰＲＭ（Content Protection for Recordable Media）などの著作権保護技術が採用されるようになってきている。
【０００３】
これらの著作権保護技術では、一般的に、ディスク上の所定の位置（例えば最内周側など）にＢＣＡ（Burst Cutting Area）が設けられる。このＢＣＡは、例えば記録層を焼き切る記録方式で記録マークを放射状に並べるように形成していくことで、バーコード状の記録データを形成している領域であり、このＢＣＡには、ＭＫＢ（Media Key Block）やメディアＩＤなどが記録されている。
【０００４】
これらの著作権保護技術のうち、例えばＣＰＲＭにより著作権保護がなされているＤＶＤを再生する場合、まず、ディスク上の所定の位置に設けられたＢＣＡにアクセスして読み出し処理を実行し、読み出されたＭＫＢと再生機器のデバイスキーを用いてメディア鍵を生成するとともに、ＢＣＡから読み出されたメディアＩＤとこのメディア鍵を用いて暗号化鍵を生成する。次に、生成された暗号化鍵を用いてディスクに記録されているコンテンツデータを所定の方式で復号化した後、復号化されたコンテンツデータを再生する。
【０００５】
なお、ディスク上の所定の位置に設けられたＢＣＡにアクセスする技術として、例えばＢＣＡに対するシークの際に、プルイン信号を用いてＢＣＡに到達したか否かを判定する技術が提案されている（特許文献１参照）。
【０００６】
特許文献１に提案されている技術によれば、ＢＣＡに対するシークの際に、プルイン信号を用いてＢＣＡに到達したか否かを判定するようにしたので、ＢＣＡ到達判別の位置センサが不要となり、また、ステッピングモータのステップ数のカウントなどに頼ることなくＢＣＡシークを確実に行うことができる。
【特許文献１】特開２００６−８５７６４号公報
【発明の開示】
【発明が解決しようとする課題】
【０００７】
しかしながら、特許文献１に提案されている技術では、ＢＣＡに対するシークの際に、プルイン信号を用いてＢＣＡに到達したか否かを判定するようにしたので、ステッピングモータのステップ数のカウントなどに頼ることなくＢＣＡシークを確実に行うことができるが、外周側から内周側に徐々にシークすることでＢＣＡにアクセスするため、ＢＣＡにアクセスするために多くの時間を要してしまうという課題があった。
【０００８】
特に、多層式のＤＶＤ（例えば２層式のＤＶＤなど）においては、一般に、レーベル面に最も近い層のディスクの上にＢＣＡが設けられるが、複数の層のディスクが存在するため、ＢＣＡにアクセスするのにより多くの時間を要してしまう。
【０００９】
本発明は、このような状況に鑑みてなされたものであり、ＢＣＡに迅速に、かつ、正確にアクセスすることができる光ディスク装置および光ディスク再生方法を提供することを目的とする。
【課題を解決するための手段】
【００１０】
本発明の光ディスク装置は、上述した課題を解決するために、ビームスポットの位置のアドレスを読み出す読み出し手段と、読み出し手段により読み出されたアドレスに基づいて、ディスク上に設けられたＢＣＡにアクセスするためのシーク量を算出する算出手段と、算出手段により算出されたシーク量に基づいて、ビームスポットの半径位置を移動する移動手段とを備えることを特徴とする。
【００１１】
本発明の光ディスク装置は、上述した課題を解決するために、多層式のディスクを構成する第１層目ディスク上におけるビームスポットの位置のアドレスを読み出す読み出し手段と、読み出し手段により読み出されたアドレスに基づいて、多層式のディスク上に設けられたＢＣＡにアクセスするためのシーク量を算出する算出手段と、算出手段により算出されたシーク量に基づいて、ビームスポットの半径位置を移動する第１の移動手段と、ビームスポットの位置を他の層のディスクに移動する第２の移動手段とを特徴とする。
【００１２】
本発明の光ディスク装置の光ディスク再生方法は、上述した課題を解決するために、多層式のディスクを構成する第１層目ディスク上におけるビームスポットの位置のアドレスを読み出す読み出しステップと、読み出しステップの処理により読み出されたアドレスに基づいて、多層式のディスク上に設けられたＢＣＡにアクセスするためのシーク量を算出する算出ステップと、算出ステップの処理により算出されたシーク量に基づいて、ビームスポットの半径位置を移動する移動ステップと、ビームスポットの位置を他の層のディスクに移動する第２の移動ステップとを含むことを特徴とする。
【００１３】
本発明の光ディスク装置においては、ビームスポットの位置のアドレスが読み出され、読み出されたアドレスに基づいて、ディスク上に設けられたＢＣＡにアクセスするためのシーク量が算出され、算出されたシーク量に基づいて、ビームスポットの半径位置が移動される。
【００１４】
本発明の光ディスク装置においては、多層式のディスクを構成する第１層目ディスク上におけるビームスポットの位置のアドレスが読み出され、読み出されたアドレスに基づいて、多層式のディスク上に設けられたＢＣＡにアクセスするためのシーク量が算出され、算出されたシーク量に基づいて、ビームスポットの半径位置が移動され、ビームスポットの位置が他の層のディスクに移動される。
【００１５】
本発明の光ディスク装置の光ディスク再生方法においては、多層式のディスクを構成する第１層目ディスク上におけるビームスポットの位置のアドレスが読み出され、読み出されたアドレスに基づいて、多層式のディスク上に設けられたＢＣＡにアクセスするためのシーク量が算出され、算出されたシーク量に基づいて、ビームスポットの半径位置が移動され、ビームスポットの位置が他の層のディスクに移動される。
【発明の効果】
【００１６】
本発明によれば、ＢＣＡに迅速に、かつ、正確にアクセスすることができる。
【発明を実施するための最良の形態】
【００１７】
以下、本発明の実施の形態について、図面を参照しながら説明する。
【００１８】
図１は、本発明に係る光ディスク装置１の内部の構成を表している。
【００１９】
光ディスク装置１は、ＤＶＤ（Digital Versatile Disc）など情報記録媒体としての光ディスク４０に対して情報の記録及び再生を行う。光ディスク４０は、同心円状または螺旋状に溝が刻まれており、溝の凹部をランド、凸部をグルーブと呼び、グルーブまたはランドの一周をトラックと呼ぶ。ユーザデータは、このトラック（グルーブのみ、またはグルーブおよびランド）に沿って、強度変調されたレーザ光が照射されて記録マークが形成されることにより光ディスク４０上に記録される。データ再生は、記録時より弱いリードパワー(Read Power：再生パワー)のレーザ光をトラックに沿って照射して、トラック上にある記録マークによる反射光強度の変化を検出することにより行われる。記録されたデータの消去は、リードパワーより強いイレースパワー(Erase Power：消去パワー)のレーザ光をトラックに沿って照射し、記録層を結晶化することにより行われる。
【００２０】
光ディスク４０はスピンドルモータ２によって回転駆動される。スピンドルモータ２に付設されたロータリエンコーダ２ａからスピンドルモータ駆動回路３に回転角信号が出力される。スピンドルモータ２が１回転すると、回転角信号は例えば５パルス発生する。これにより、スピンドルモータ制御回路４は、スピンドルモータ駆動回路３を介してロータリエンコーダ２ａから入力された回転角信号に基づいて、スピンドルモータ２の回転角度および回転数を判定することができる。このスピンドルモータ２はスピンドルモータ制御回路４により制御される。
【００２１】
光ディスク４０に対する情報の記録または再生は、光ピックアップ５によって行われる。光ピックアップ５は、ギア１８およびスクリューシャフト１９を介して送りモータ２０と連結されており、この送りモータ２０は送りモータ駆動回路２１により制御される。送りモータ２０が送りモータ駆動回路２１から供給された送りモータ駆動電流によって回転することで、光ピックアップ５が光ディスク４０の半径方向に移動する。
【００２２】
光ピックアップ５には、図示しないワイヤあるいは板バネによって支持された対物レンズ６が設けられる。対物レンズ６はフォーカスアクチュエータ８の駆動によりフォーカシング方向（レンズの光軸方向）への移動が可能であり、また、トラッキングアクチュエータ７の駆動によりトラッキング方向（レンズの光軸と直交する方向）への移動が可能である。
【００２３】
レーザ駆動回路１７は、情報記録時（マーク形成時）に、ホスト装置４１からインタフェース回路３９を介して供給される記録データに基づいて所定の変調方式（例えば８−１４変調（ＥＦＭ（Eight Fourteen Modulation）変調）など）により変調するとともに、変調後のデータに基づいて書き込み用信号を生成し、生成された書き込み用信号をレーザダイオード（レーザ発光素子）９に供給する。また、レーザ駆動回路１７は、情報読取り時に、書き込み信号より小さい読取り用信号をレーザダイオード９に供給する。
【００２４】
フロントモニタ・フォトダイオード１０は、レーザダイオード９が発生するレーザ光の一部をハーフミラー１１により一定比率だけ分岐し、光量すなわち照射パワーに比例した受光信号を検出し、検出された受光信号をレーザ駆動回路１７に供給する。レーザ駆動回路１７はフロントモニタ・フォトダイオード１０から供給された受光信号を取得し、取得された受光信号に基づいて、ＣＰＵ３５により予め設定された再生時のレーザパワー（照射パワー）、記録時のレーザパワー、および消去時のレーザパワーで発光するようにレーザダイオード９を制御する。
【００２５】
レーザダイオード９は、レーザ駆動回路１７から供給される信号に応じてレーザ光を発光する。レーザダイオード９から発光されるレーザ光は、コリメータレンズ１２、ハーフプリズム１３、および対物レンズ６を介して光ディスク４０上に照射される。光ディスク４０からの反射光は、対物レンズ６、ハーフプリズム１３、集光レンズ１４、およびシリンドリカルレンズ１５を介して、光検知器１６に導かれる。
【００２６】
光検知器１６は、例えば４分割の光検知セルからなり、検知信号を生成し、生成された検知信号をＲＦアンプ２３に出力する。ＲＦアンプ２３は、光検知器１６からの検知信号を処理し、ジャストフォーカスからの誤差を示すフォーカス誤差信号（ＦＥ）、レーザ光のビームスポット中心とトラック中心との誤差を示すトラッキング誤差信号（ＴＥ）、および検知信号の全加算信号である再生信号（ＲＦ）を生成し、生成されたフォーカス誤差信号（ＦＥ）、トラッキング誤差信号（ＴＥ）、および再生信号（ＲＦ）をＡ／Ｄ変換器３０に供給する。
【００２７】
フォーカス制御回路２５は、ＲＦアンプ２３からＡ／Ｄ変換器３０を介してＤＳＰ３８で取り込まれたフォーカス誤差信号（ＦＥ）に応じてフォーカス制御信号を生成し、生成されたフォーカス制御信号をフォーカスアクチュエータ駆動回路２４に供給する。フォーカスアクチュエータ駆動回路２４は、フォーカス制御回路２５から供給されたフォーカス制御信号に基づいて、フォーカスアクチュエータ８を駆動するためのフォーカスアクチュエータ駆動電流をフォーカシング方向のフォーカスアクチュエータ８に供給する。これにより、レーザ光が光ディスク４０の記録膜上に常時ジャストフォーカスとなるフォーカスサーボが行われる。
【００２８】
トラック制御回路２７は、ＲＦアンプ２３からＡ／Ｄ変換器３０を介してＤＳＰ３８で取り込まれたトラッキング誤差信号（ＴＥ）に応じてトラック制御信号を生成し、生成されたトラック制御信号をトラッキングアクチュエータ駆動回路２６に供給する。トラッキングアクチュエータ駆動回路２６は、トラッキング制御回路２７から供給されたトラッキング制御信号に基づいて、トラッキングアクチュエータ７を駆動するためのトラッキングアクチュエータ駆動電流をトラッキング方向のトラッキングアクチュエータ７に供給する。これにより、レーザ光が光ディスク４０上に形成されたトラック上を常にトレース（追跡）するトラッキングサーボが行われる。
【００２９】
このようなフォーカスサーボおよびトラッキングサーボがなされることで、光検知器１６（各光検知セル）からの検知信号の全加算信号である再生信号（ＲＦ）には、記録情報に対応して光ディスク４０のトラック上に形成されたピットなどからの反射光の変化が反映される。この再生信号は、Ａ／Ｄ変換器３０を介してデータ再生回路３１に供給される。データ再生回路３１は、Ａ／Ｄ変換器３０から供給される再生信号に応じて１もしくは０の２値化信号を生成し、生成された２値化信号をエラー訂正回路３２に出力する。また、データ再生回路３１は、２値化信号をエラー訂正回路３２に出力すると同時に、ＰＬＬ（Phase Locked Loop）回路２９から供給される再生クロック信号と、この２値化信号との位相差をＰＬＬ位相比較信号として生成し、生成されたＰＬＬ位相比較信号をＰＬＬ回路２９に出力する。
【００３０】
ジッタ測定回路３３は、Ａ／Ｄ変換器３０から供給される再生信号とＰＬＬ回路２９で生成される再生クロック信号から再生信号のジッタを測定する。この測定されたジッタ測定信号は、バス３４を介してＣＰＵ３５により読み出し可能となっている。
【００３１】
ＤＳＰ（Digital Signal Processor）３８は、ＲＦアンプ２３から出力された後にＡ／Ｄ変換器３０を介してディジタル信号に変換されたフォーカス誤差信号（ＦＥ）およびトラッキング誤差信号（ＴＥ）などのディジタル信号に種々の演算処理を施し、スピンドルモータ制御回路４、送りモータ制御回路２２、フォーカス制御回路２５、およびトラッキング制御回路２７の制御を行う。
【００３２】
スピンドルモータ制御回路４、送りモータ制御回路２２、フォーカス制御回路２５、およびトラッキング制御回路２７は、バス３４を介してＤＳＰ３８によって制御される。
【００３３】
また、レーザ駆動回路１７、ＰＬＬ回路２９、Ａ／Ｄ変換器３０、エラー訂正回路３２、ジッタ測定回路３３、およびＤＳＰ３８などは、バス３４を介してＣＰＵ（Central Processing Unit）３５によって制御される。ＣＰＵ３５は、インタフェース回路３９を介してホスト装置４１から供給される動作コマンドに従うとともに、ＲＯＭ（Read Only Memory）３６に記憶されているプログラムおよびＲＯＭ３６からＲＡＭ（Random Access Memory）３７にロードされたプログラムに従って各種の処理を実行し、種々の制御信号を生成し、各部に供給することにより光ディスク装置１を統括的に制御する。
【００３４】
ところで、特許文献１に提案されている技術では、ＢＣＡに対するシークの際に、プルイン信号を用いてＢＣＡに到達したか否かを判定するようにしたので、ステッピングモータのステップ数のカウントなどに頼ることなくＢＣＡシークを確実に行うことができるが、外周側から内周側に徐々にシークすることでＢＣＡにアクセスするため、ＢＣＡにアクセスするために多くの時間を要してしまう。
【００３５】
特に、多層式の光ディスク４０（例えば２層式の光ディスク４０など）においては、例えば図２に示されるように、一般に、レーベル面に最も近い層のディスク（例えば２層式の光ディスク４０の場合、第２層目ディスク（Ｌ１））の上にＢＣＡが設けられるが、複数の層のディスクが存在するため、ＢＣＡにアクセスするのにより多くの時間を要してしまう。なお、第１層目ディスク（Ｌ０）は、光ディスク４０の内部の最も下層に設けられたディスクであると定義し、光ディスク４０の表面に最も近いディスクは第２層目ディスク（Ｌ１）となる。勿論、３層式の光ディスク４０の場合、第１層目ディスク、第２層目ディスク、第３層目ディスクと順次貼り合わされ、光ディスク４０の表面に最も近いディスクは第３層目ディスクとなる。
【００３６】
また、例えば片面あるいは両面において２層式の光ディスク４０の場合、図２に示されるように、第１層目ディスク（Ｌ０）と第２層目ディスク（Ｌ１）を貼り合わせる過程で生じるディスク同士のズレは±０．５ｍｍまで許容されているが、単層式の光ディスク４０と異なり、ディスク同士の貼り合わせによるズレを考慮しなければならず、ＢＣＡにアクセスするのにさらに多くの時間を要してしまう。
【００３７】
なお、図２に示されるように、一般的な規格として、ＢＣＡが設けられる範囲は光ディスク４０の中心位置から２２．３ｍｍ乃至２３．５ｍｍであり、内周側に（−０．４ｍｍ）ずれ込むことが許容される一方、外周側に（±０．０５ｍｍ）ずれ込むことが許容される。
【００３８】
そこで、多層式の光ディスク４０においては、光ディスク４０の表面に最も近いディスク（例えば２層式の光ディスク４０の場合、第２層目ディスク（Ｌ１））上に設けられたＢＣＡの位置と、光ディスク４０の内部の最も下層に設けられたディスク（例えば２層式の光ディスク４０の場合、第１層目ディスク（Ｌ０））との相対的な位置関係が決まっていることから、この相対的な位置関係とフォーカスされている現在の位置とに基づいて、現在の位置からＢＣＡにアクセスするためのシーク量を算出し、算出結果に基づいてＢＣＡにアクセスするようにする。これにより、ＢＣＡに迅速に、かつ、正確にアクセスすることが可能となる。以下、この方法を用いた図１の光ディスク装置１のＢＣＡ読み出し処理について説明する。
【００３９】
図３のフローチャートを参照して、図１の光ディスク装置１におけるＢＣＡ読み出し処理について説明する。このＢＣＡ読み出し処理は、光ディスク４０が光ディスク装置１の所定の位置に挿入された後、ユーザによりホスト装置４１の図示せぬ操作部が操作されることにより再生処理を開始するとの指示がなされることにより、開始される。
【００４０】
なお、本発明の実施形態においては、説明を簡略化するために、第１層目ディスクと第２層目ディスクからなる２層式の光ディスクについて本発明を適用するようにしたが、このような場合に限られず、３層式以上の多層式の光ディスクに本発明を適用するようにしてもよい。
【００４１】
ステップＳ１において、ＣＰＵ３５は、光ピックアップ５を制御し、レーザダイオード９からレーザ光を光ディスク４０に照射させ、現在のビームスポットの位置のアドレス（セクタアドレス）を読み出す。
【００４２】
ステップＳ２において、ＣＰＵ３５は、読み出された現在のビームスポットの位置のアドレス（セクタアドレス）に基づいて、現在の位置が第１層目ディスクであるか否かを判定する。ステップＳ２において現在の位置が第１層目ディスクではないと判定された場合（すなわち、現在の位置が第２層目ディスクであると判定された場合）、ＣＰＵ３５はステップＳ３で、光ピックアップ５、フォーカス制御回路２５、およびトラッキング制御回路２７などを制御し、ビームスポットの位置を、第２層目ディスクから第１層目ディスクにジャンプさせる（他の層のディスクに移動させる）。
【００４３】
次に、ステップＳ４において、ＣＰＵ３５は、光ピックアップ５を制御し、レーザダイオード９からレーザ光を光ディスク４０に照射させ、第１層目ディスク上における現在のビームスポットの位置のアドレス（セクタアドレス）を読み出す。
【００４４】
一方、ステップＳ２において現在のビームスポットの位置が第１層目ディスクであると判定された場合、ステップＳ３乃至Ｓ４の処理はスキップされる。これにより、ステップＳ３の処理におけるジャンプ処理は実行されない。
【００４５】
ステップＳ５において、ＣＰＵ３５は、第２層目ディスク上に設けられたＢＣＡの位置と、第１層目ディスクとの相対的な位置関係を用いて、現在のビームスポットの位置のアドレスに基づいて、現在のビームスポットの位置からＢＣＡにアクセスするためのシーク量を算出する。
【００４６】
具体的には、図４に示されるように、例えば第２層目ディスク（Ｌ１）上に設けられたＢＣＡの中心位置Ｂは第１層目ディスク（Ｌ０）の所定の位置Ｃ上に存在するという相対的な位置関係を有していることから、現在のビームスポットの位置が第１層目ディスク（Ｌ０）上の位置Ａである場合、現在のビームスポットの位置Ａのアドレスと位置Ｃのアドレスとに基づいて、現在のビームスポットの位置Ａから位置Ｃにアクセスするためのシーク量が算出され、算出された現在のビームスポットの位置Ａから位置Ｃにアクセスするためのシーク量が、現在のビームスポットの位置ＡからＢＣＡにアクセスするためのシーク量として算出される。
【００４７】
例えばＢＣＡが光ディスク４０の中心位置から２２．３ｍｍ乃至２３．５ｍｍの範囲に設けられている場合、ＢＣＡの中心位置Ｂは光ディスク４０の中心位置から２２．９ｍｍの位置であることから、現在のビームスポットの位置が第１層目ディスク（Ｌ０）上の位置Ａであり、かつ、位置Ａが光ディスク４０の中心位置から２７．０ｍｍである場合、現在のビームスポットの位置Ａから位置Ｃにアクセスするためのシーク量が２７．０ｍｍ−２２．９ｍｍ＝４．１ｍｍであると算出され、算出された現在のビームスポットの位置Ａから位置Ｃにアクセスするためのシーク量（４．１ｍｍ）が、現在のビームスポットの位置ＡからＢＣＡ（ＢＣＡの中心位置）にアクセスするためのシーク量として算出される。
【００４８】
勿論、ＢＣＡの中心位置に限られず、ＢＣＡのいずれかの位置にアクセスするようにシーク量を算出するようにしてもよい。例えばＢＣＡの中心位置から１／４だけ内周側にずれた位置にアクセスするようにシーク量を算出するようにしてもよい。
【００４９】
ステップＳ６において、ＣＰＵ３５は、光ピックアップ５、フォーカス制御回路２５、およびトラッキング制御回路２７などを制御し、ビームスポットの位置を、第１層目ディスクから第２層目ディスクにジャンプさせる。
【００５０】
例えば図４の場合、ビームスポットの位置を第１層目ディスクの位置Ａから第２層目ディスクの位置Ａ´（第１層目ディスクの位置Ａの真上に存在する位置）にジャンプさせる（すなわち、他の層に移動させる）。
【００５１】
ステップＳ７において、ＣＰＵ３５は、光ピックアップ５および送りモータ制御回路２２などを制御し、算出されたシーク量（現在のビームスポットの位置からＢＣＡにアクセスするためのシーク量）に基づいて、ビームスポットの位置（半径位置）を第２層目ディスク上において移動させる。
【００５２】
例えば図４の場合、算出されたシーク量（現在のビームスポットの位置からＢＣＡにアクセスするためのシーク量）に基づいて、ビームスポットの位置（半径位置）を位置Ａ´から位置Ｂ（ＢＣＡの中心位置）に移動させる。なお、ＡＣ間の距離はＡ´Ｂ間の距離とほぼ等しいと考えられることから、位置Ａのアドレスと位置Ｃのアドレスとに基づいて算出されたシーク量（現在のビームスポットの位置からＢＣＡにアクセスするためのシーク量）を用いて、ビームスポットの位置（半径位置）を位置Ａ´から位置Ｂ（ＢＣＡの中心位置）に移動させることができる。
【００５３】
ここで、後述するステップＳ８におけるＢＣＡ読み出し処理においては、ＢＣＡを読み出す際にはトラッキングオフ状態で信号を読み出すことを前提に信号形成されているため、ビームスポットがＢＣＡの範囲のいずれかの部分に存在しさえすればＢＣＡに記録されているＭＫＢとメディアＩＤなどを読み出すことが可能である。
【００５４】
これにより、ＢＣＡに迅速に、かつ、正確にアクセスすることができる。例えばＢＣＡの中心位置に迅速に、かつ、正確にアクセスすることができ、また、ＢＣＡを徐々にシークする必要がなくなるため、直接的に例えばＢＣＡの中心位置にアクセスすることができる。
【００５５】
ステップＳ８において、ＣＰＵ３５は、ビームスポットが位置するＢＣＡを読み出す。すなわち、ＢＣＡに予め記録されているＭＫＢとメディアＩＤなどが読み出される。これにより、光ディスク４０に記録されているコンテンツデータの再生処理を実行する際に、読み出されたＭＫＢと再生機器のデバイスキーを用いてメディア鍵が生成されるとともに、ＢＣＡから読み出されたメディアＩＤとこのメディア鍵を用いて暗号化鍵が生成される。次に、生成された暗号化鍵を用いてディスクに記録されているコンテンツデータが所定の方式で復号化された後、復号化されたコンテンツデータが再生される。
【００５６】
本発明の実施形態においては、現在のビームスポットの位置のアドレスを読み出し、読み出されたアドレスに基づいて、現在のビームスポットの位置が第１層目ディスクであるか否かを判定し、現在のビームスポットの位置が第１層目ディスクであると判定された場合、第２層目ディスク上に設けられたＢＣＡの位置（例えばＢＣＡの中心位置など）と、第１層目ディスクとの相対的な位置関係を用いて、現在のビームスポットの位置のアドレスに基づいて、現在のビームスポットの位置からＢＣＡにアクセスするためのシーク量を算出することができる。
【００５７】
一方、現在のビームスポットの位置が第１層目ディスクではないと判定された場合（すなわち、現在のビームスポットの位置が第２層目ディスクであると判定された場合）、第２層目ディスクから第１層目ディスクにジャンプし、ジャンプ後の第１層目ディスク上の現在のビームスポットの位置のアドレスを読み出し、第２層目ディスク上に設けられたＢＣＡの位置（例えばＢＣＡの中心位置など）と、第１層目ディスクとの相対的な位置関係を用いて、現在のビームスポットの位置のアドレスに基づいて、現在のビームスポットの位置からＢＣＡにアクセスするためのシーク量を算出することができる。
【００５８】
また、算出されたシーク量（現在のビームスポットの位置からＢＣＡにアクセスするためのシーク量）に基づいて、第２層目ディスク上においてビームスポットの位置（半径位置）を移動することができる。
【００５９】
これにより、ＢＣＡに迅速に、かつ、正確にアクセスすることができる。例えばＢＣＡの中心位置に迅速に、かつ、正確にアクセスすることができ、また、ＢＣＡを徐々にシークする必要がなくなるため、直接的に例えばＢＣＡの中心位置にアクセスすることができる。
【００６０】
特に、第１層目ディスクと第２層目ディスクを貼り合わせる過程でズレ（±０．５ｍｍのズレ）が生じてしまっている場合であっても、このズレによる影響を大きく受けることなく、第１層目ディスクのアドレスに基づいて算出されるシーク量に基づいて、ＢＣＡに直接的に、かつ、確実にアクセスすることができる。その結果、第１層ディスクと第２層目ディスクとの貼り合わせの過程での半径方向のズレによって、第２層目ディスクのアドレスを基準にＢＣＡにアクセスする際に発生する問題を回避することができる。
【００６１】
また、ＢＣＡの規格上許容されるズレが存在したとしても、ＢＣＡの例えば中心位置に直接的にアクセスするためのシーク量を算出するようにしたので、規格上許容されるズレに伴うＢＣＡの範囲のズレによりＢＣＡにアクセスできないという状況を防止することができ、ＢＣＡに確実にアクセスすることができる。
【００６２】
従って、光ディスク装置１での再生処理を迅速に、かつ、正確に開始することができる。
【００６３】
ところで、図３のフローチャートを参照して説明したＢＣＡ読み出し処理においては、ステップＳ６において第１層目ディスクから第２層目ディスクへのジャンプ処理を実行した後、ステップＳ７において算出されたシーク量に基づいて、第２層目ディスク上においてビームスポットの位置を移動させ、第２層目ディスク上のＢＣＡにアクセスするようにした（すなわち、Ａ→Ａ´→Ｂのようにして第２層目ディスク上のＢＣＡにアクセスするようにした）が、このような場合に限られず、例えば図５のフローチャートに示されるように、ステップＳ１６において算出されたシーク量に基づいて、第１層目ディスク上においてビームスポットの位置（半径位置）を移動させて、ＢＣＡが存在する位置（半径位置）の下に移動させた後、１層目ディスクから第２層目ディスクへのジャンプ処理（他の層への移動）を実行するようにしてもよい（すなわち、すなわち、Ａ→Ｃ→Ｂのようにして第２層目ディスク上のＢＣＡにアクセスするようにしてもよい）。
【００６４】
例えば図４の場合、算出されたシーク量（現在のビームスポットの位置からＢＣＡにアクセスするためのシーク量）に基づいて、ビームスポットの位置（半径位置）を位置Ａから位置Ｃ（ＢＣＡの中心位置の下に存在する位置）に移動させる。その後、ビームスポットの位置を位置Ｃから位置Ｂ（ＢＣＡの中心位置）にジャンプさせる（他の層へ移動させる）。
【００６５】
なお、図５のステップＳ１１乃至Ｓ１８の処理は、図３のステップＳ１乃至Ｓ８の処理と基本的には同様であり、その説明は繰り返しになるので省略する。
【００６６】
なお、本発明の実施形態においては、多層式の光ディスク４０に本発明を適用するようにしたが、このような場合に限られず、単層式の光ディスク４０に本発明を適用するようにしてもよい。
【００６７】
なお、本発明の実施形態においては、シーク量の算出処理などをＣＰＵ３５において行うようにしたが、ＣＰＵ３５の代わりにＤＳＰ３８において実行するようにしてもよい。
【００６８】
また、本発明の実施形態においては、ＣＤ−ＲＷやＤＶＤ±ＲＷなどの書き換え型の光ディスク４０に本発明を適用するようにしたが、勿論、ＣＤ−ＲやＤＶＤ−Ｒなどの１回限り記録できる追記型の光ディスク４９に適用するようにしてもよいし、ＤＶＤ−ＲＯＭなどの再生専用型の光ディスク４０に本発明を適用するようにしてもよい。
【００６９】
なお、本発明の実施形態において説明した一連の処理は、ソフトウェアにより実行させることもできるが、ハードウェアにより実行させることもできる。
【００７０】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００７１】
【図１】本発明に係る光ディスク装置の内部の構成を示すブロック図。
【図２】光ディスク上に設けられたＢＣＡのエリア構造を説明する説明図。
【図３】図１の光ディスク装置におけるＢＣＡ読み出し処理を説明するフローチャート。
【図４】光ディスク上に設けられたＢＣＡの位置関係を説明する説明図。
【図５】図１の光ディスク装置における他のＢＣＡ読み出し処理を説明するフローチャート。
【符号の説明】
【００７２】
１…光ディスク装置、２…スピンドルモータ、２ａ…ロータリエンコーダ、３…スピンドルモータ駆動回路、４…スピンドル制御回路、５…光ピックアップ、６…対物レンズ、７…トラッキングアクチュエータ、８…フォーカスアクチュエータ、９…レーザダイオード、１０…フロントモニタ・フォトダイオード、１１…ハーフミラー、１２…コリメータレンズ、１３…ハーフプリズム、１４…集光レンズ、１５…シリンドリカルレンズ、１６…光検出器、１７…レーザ駆動回路、１８…ギア、１９…スクリューシャフト、２０…送りモータ、２１…送りモータ駆動回路、２２…送りモータ制御回路、２３…ＲＦアンプ、２４…フォーカスアクチュエータ駆動回路、２５…フォーカスアクチュエータ制御回路、２６…トラッキングアクチュエータ駆動回路、２７…トラッキング制御回路、２８…水晶、２９…ＰＬＬ回路、３０…Ａ／Ｄ変換器、３１…データ再生回路、３２…エラー訂正回路、３３…ジッタ測定回路、３４…バス、３５…ＣＰＵ、３６…ＲＯＭ、３７…ＲＡＭ、３８…ＤＳＰ、３９…インタフェース回路、４０…光ディスク、４１…ホスト装置。
【図１】
2008135111.tif 000003
【図２】
2008135111.tif 000004
【図３】
2008135111.tif 000005
【図４】
2008135111.tif 000006
【図５】
2008135111.tif 000007